(57)【要約】【課題】複数の乗りかごの運行状況を低コストで表示するとともに視認性を向上させること。【解決手段】本発明のエレベータ装置は、複数の乗りかごと、この乗りかごの乗り場に設置された乗りかごを呼び寄せるホール呼び釦と、乗りかご内に設置された行先階を登録するかご呼び釦と、ホール呼び釦とかご呼び釦の登録に応じて乗りかごの運転を制御する制御手段と、制御手段からの運行状況信号に基づいて各乗りかごに対応して乗り場に設置された複数の表示器１１１〜１１３に各乗りかごの案内表示を表示する表示手段とを備え、この表示手段は、複数の表示器のうち、一の表示器１１１の系統が故障して案内表示が表示されないとき、この案内表示を最寄の他の表示器１１２の一部に表示させるものとする。【選択図】図２
2007217081.tif 000002
【特許請求の範囲】
【請求項１】
複数の乗りかごに対応して乗り場に設けられ、前記各乗りかごの案内表示をそれぞれ表示する複数の表示器のうち、一の表示器の系統が故障して前記案内表示が表示されないとき、案内表示を最寄の他の表示器の一部に表示させるものとするエレベータ表示システム。
【請求項２】
前記他の表示器に表示する前記一の表示器の案内表示を予め設定された表示項目に絞って表示させることを特徴とする請求項１に記載のエレベータ表示システム。
【請求項３】
前記他の表示器に表示する前記一の表示器の案内表示を、前記他の表示器の案内表示よりも表示面積を小さくすることを特徴とする請求項１に記載のエレベータ表示システム。
【請求項４】
複数の乗りかごに対応して乗り場に設けられ、前記各乗りかごの案内表示をそれぞれ表示する複数の表示器のうち、一の表示器の系統が故障して前記案内表示が表示されないとき、この案内表示を最寄の他の表示器に表示させるものとし、前記一の表示器の案内表示と前記他の表示器の案内表示を時間を分けて交互に表示させるものとするエレベータ表示システム。
【請求項５】
複数の乗りかごと、前記乗りかごの乗り場に設置された前記乗りかごを呼び寄せるホール呼び釦と、前記乗りかご内に設置された行先階を登録するかご呼び釦と、前記ホール呼び釦と前記かご呼び釦の登録に応じて前記乗りかごの運転を制御する制御手段と、前記制御手段からの運行状況信号に基づいて前記各乗りかごに対応して前記乗り場に設置された複数の表示器に前記各乗りかごの案内表示を表示する表示手段とを備え、
前記表示手段は、前記複数の表示器のうち、一の表示器の系統が故障して前記案内表示が表示されないとき、この案内表示を最寄の他の表示器の一部に表示させるものとするエレベータ装置。
【請求項６】
複数の乗りかごと、前記乗りかごの乗り場に設置された前記乗りかごを呼び寄せるホール呼び釦と、前記乗りかご内に設置された行先階を登録するかご呼び釦と、前記ホール呼び釦と前記かご呼び釦の登録に応じて前記乗りかごの運転を制御する制御手段と、前記制御手段からの運行状況信号に基づいて前記各乗りかごに対応して前記乗り場に設置された複数の表示器に前記各乗りかごの案内表示を表示する表示手段とを備え、
前記表示手段は、前記複数の表示器のうち、一の表示器の系統が故障して前記案内表示がされないとき、この案内表示を最寄の他の表示器に表示するものとし、前記一の表示器の案内表示と前記他の表示器の案内表示を時間を分けて交互に表示させるものとするエレベータ装置。
【発明の詳細な説明】
【技術分野】
【０００１】
本発明は、エレベータ表示システム及びエレベータ装置に関し、特に、乗り場に設置される複数の乗りかごの運行状況を表示する技術に関する。
【背景技術】
【０００２】
一般に、エレベータの乗り場には、乗りかごに対応して表示器が設置されている。この表示器に乗りかごの現在位置、運転方向、乗客の混雑状況などの案内を表示することにより、乗り場の利用者はこれらの情報に基づいて乗りかごの運行状況を知ることができる。
【０００３】
ところで、複数の乗りかごが設置される乗り場において、例えば、表示器が故障して案内が表示されなくなると、乗り場の待ち客は故障した表示器に対応する乗りかごの運行状況を把握できなくなる。
【０００４】
これに対し、例えば、各乗りかごに対応させて到着表示器を設置するとともに、隣接する乗りかごの到着情報を併せて表示するようにした表示器が知られている（特許文献１参照）。このような表示器を用いると、１台の乗りかごの表示器が故障しても、隣接する他の乗りかごの表示器を用いることによって対応できる。
【０００５】
【特許文献１】特開平１−３０８３７８号公報
【発明の開示】
【発明が解決しようとする課題】
【０００６】
しかしながら、特許文献１の表示器は隣接する乗りかごの情報を常に表示する構成のため、見たい乗りかごの情報を認識しづらくなり、視認性が低下するという問題がある。また、表示内容の視認性を向上させるには、例えば、特殊の表示装置を設けて各情報の識別性を向上させる必要があるが、これを用いると設備コストが高くなる。
【０００７】
本発明は、複数の乗りかごの案内表示を低コストで表示するとともに視認性を向上させることを課題とする。
【課題を解決するための手段】
【０００８】
上記課題を解決するため、本発明のエレベータ表示システムは、複数の乗りかごに対応して乗り場に設けられ、各乗りかごの案内表示をそれぞれ表示する複数の表示器のうち、一の表示器の系統が故障して案内表示が表示されないとき、この案内表示を最寄の他の表示器の一部に表示させることを特徴としている。
【０００９】
この構成によれば、各表示器が正常に動作するときは、対応する乗りかごの案内表示を表示する一方、一の表示器が故障してその運行状況が表示されなくなったときだけ、その案内表示が最寄の他の表示器に併せて表示されることになる。これにより、一の表示器の故障に対応できるとともに、通常時は乗りかごと表示器が一対一で対応するため、乗り場の待ち客に対して表示器の視認性を向上させることができる。
【００１０】
また、本発明は、例えば、表示器が故障したときに、表示する情報を適宜切り替えるソフトを搭載することにより、ハード的には従来の表示器をそのまま使用することができるため、設備コストを低く抑えることができる。
【００１１】
この場合において、他の表示器に表示する一の表示器の案内表示を予め設定された表示項目に絞って表示させるようにする。これによれば、一の表示器が故障したとき、他の表示器に表示される案内表示は優先順位の高い情報のみとすることができるため、表示器の視認性を向上させることができる。
【００１２】
また、他の表示器に表示する一の表示器の案内表示を、他の表示器の案内表示よりも表示面積を小さくすれば、表示器の視認性を一層向上させることができる。
【００１３】
また、一の表示器の系統が故障して案内表示がされないとき、この案内表示を最寄の他の表示器に表示させるものとし、一の表示器の案内表示と他の表示器の案内表示を、時間を分けて交互に表示させるようにしてもよい。
【発明の効果】
【００１４】
本発明によれば、複数の乗りかごの案内表示を低コストで表示するとともに視認性を向上させることができる。
【発明を実施するための最良の形態】
【００１５】
以下、図面を用いて本発明の実施形態を説明する。図１は本発明が適用されるエレベータ装置の一実施形態の全体構成図である。なお、本実施形態では、１階と９階の二つの階床について説明するが、他の階床においても構成は共通するためこれらの説明は省略する。
【００１６】
本実施形態のエレベータ装置は、１〜３号機の乗りかご４１〜４３と、これらの乗りかご４１〜４３の運転を制御するエレベータ制御装置１を備える。乗りかご４１〜４３には、行先階等を登録するかご呼び釦５１〜５３が設置される。１階と９階の各乗り場には、乗りかご４１〜４３を呼び寄せるホール呼び釦８１，８２と、各乗りかご４１〜４３の走行方向を案内するホールランタン（予約灯）９１〜９３，９４〜９６と、各乗りかご４１〜４３の運行状況を表示する表示器１０１〜１０３，１１１〜１１３が設置される。
【００１７】
エレベータ制御装置１は、例えば、エレベータ機械室に設けられ、群管理制御装置２と号機制御装置３１〜３３を備える。ここで、群管理制御装置２は、割当部２１と表示部２２を含んでいる。号機制御装置３１〜３３は、乗りかごの駆動装置とかご呼び釦５１〜５３、各階床のホールランタン９１〜９３，９４〜９６とそれぞれ電気的に接続される。群管理制御装置２は、各階床のホール呼び釦８１，８２、各階床の表示器１０１〜１０３，１１１〜１１３とそれぞれ電気的に接続される。
【００１８】
以下、乗りかご４１を例として各構成の動作を説明する。乗りかご４１内のかご呼び釦５１を利用者が操作すると、その操作信号は号機制御装置３１へ入力される。また、各階床のホール呼び釦８１，８２を乗り場の待ち客が操作すると、その操作信号は群管理制御装置２へ入力される。各階床のホールランタン９１，９４は、号機制御装置３１を介して群管理制御装置２との間で信号が入出力される。なお、同一階床に、例えば、車椅子専用、台車専用、地下駐車場専用などの乗り場呼びが設置される場合は、これらの呼び釦を操作することにより、その操作信号が群管理制御装置２に入力される。
【００１９】
群管理制御装置２は、ホール呼び釦８１，８２からの操作信号、号機制御装置３１を介して送られてくる乗りかご４１の現在位置、走行方向、混雑状況、かご呼び状況などの信号、及び他の号機制御装置３２，３３から同様にして送られてくる信号を入力して総合的に判断し、新たに発生した乗り場呼びに対して割当部２１からいずれかの乗りかご４１〜４３を割り当て、該当する号機制御装置３１〜３３へ割当信号を出力する。ここで、例えば、割当信号が入力された号機制御装置３１は、乗りかご４１の駆動装置へ運転信号を送信することにより、乗りかご４１を走行制御して所定の階床へ導くとともに、各階床のホールランタン９１，９４を制御して待ち客を案内する。なお、号機制御装置３１は乗りかご４１の走行制御とともに戸開閉制御を号機ごとに独立して行う。
【００２０】
一方、群管理制御装置２は、号機制御装置３１の運転信号等に基づいて、表示部２２から各階床の乗り場の表示器１０１，１１１へ表示信号を出力する。表示信号が入力された表示器１０１，１１１は、乗りかご４１の現在階床位置や走行方向などの運行状況を表示する。
【００２１】
図２は、本発明が適用されるエレベータ装置において表示器が故障した場合の表示方法について説明する図である。なお、本図では９階の乗り場を一例として説明する。
【００２２】
各乗りかご４１〜４３に対応する乗り場の扉の上部には、表示器１１１〜１１３が設置され、各表示器１１１〜１１３には、乗りかごの現在階床位置と走行方向を示す案内表示が表示される。いずれの表示器１１１〜１１３も正常に動作する場合は、それぞれ対応する乗りかご４１〜４３の運転状況のみを表示する。表示器１１１は、乗りかご４１が上昇する方向へ移動しており現在５階にいることを示す。表示器１１２は、乗りかご４２が下降する方向へ移動しており現在１０階にいることを示す。表示器１１３は、乗りかごの情報を表示しない状態を示す。乗りかごの情報を表示しない状態とは、本実施形態のように、複数の乗りかごを制御する場合、全ての乗りかごの現在階床位置を表示することは、乗り場の待ち客にとって必要ではないことから、乗り場呼びに応答して割り当てられた乗りかごの情報のみを表示するものとする。
【００２３】
一方、例えば、表示器１１１が故障して案内表示が表示されないときは、その表示されない案内表示を表示器１１１に隣接する正常な表示器１１２を用いて表示する。つまり、表示器１１２においては、乗りかご４１と乗りかご４２の案内表示を併せて表示する。ここで、表示器の故障とは、表示部（パネルなど）や表示装置（発光装置など）の故障の他、例えば、エレベータ制御装置１と表示器１１１をつなぐ信号伝送系統の故障も含めたものを意味する。
【００２４】
次に、表示器１１１が故障した場合の案内表示の表示形態について、具体的に説明する。表示器１１２は、表示領域（パネル領域）の中央を分割線で区分し、その左右に各乗りかごの案内表示を表示する。案内表示の表示項目は、双方とも優先順位の高い項目に絞って表示するものとし、例えば、乗りかごの現在階床位置と走行方向、及び割当位置の３項目とする。ここで、割当位置とは、表示される案内表示がどの乗りかごの表示なのかを明らかにするものであり、例えば、図のように、乗りかご４１の案内表示は左向き矢印、乗りかご４２の案内表示は四角形の記号をそれぞれ用いる。これにより表示器１１２の視認性を向上させることができる。
【００２５】
また、本実施形態では、表示器１１２の表示領域を中央から左右に均等分割しているが、例えば、乗りかご４１の案内表示の表示領域を、乗りかご４２の案内表示の表示領域よりも小さくし、両者の表示面積に差を設けるようにしてもよい。これによれば、表示器１１２の視認性を一層向上させることができる。
【００２６】
また、本実施形態では、一つの表示器に２つの乗りかご４１，４２の案内表示を同時に表示させるようにしているが、例えば、これらの乗りかごの案内表示を、時間差を設けて交互に表示するようにしてもよい。この場合、各案内表示の表示時間を任意、例えばユーザ指定により設定可能とし、表示時間に差を設けるようにしてもよい。これによれば、案内表示の表示面積を大きくできるため視認性を向上させることができる。
【００２７】
図３は、エレベータ制御装置１内のソフトウェアが表示器へ送信する表示データを作成する際の処理について説明するフローチャートである。
【００２８】
このフローは周期的に実行される処理であり、まず、ステップＳ３００にてループ処理の変数Ｆと変数Ｋに初期値０を代入して初期化を行う。この変数Ｆは本処理の階床番号に対応し、変数Ｋは乗りかごの号機番号に対応する。次に、ステップＳ３１０にてループ処理変数Ｆの値に１をプラスして以下の処理階床番号を変更し、ステップＳ３２０にてループ処理変数Ｋの値に１をプラスして以下の処理号機番号を変更する。
【００２９】
次に、ステップＳ３３０にてステップＳ３１０とＳ３２０にて設定した変数Ｆと変数Ｋを用い、Ｆ階床Ｋ号機に表示すべき案内表示に基づいて表示データを作成し、これに対応する表示器へ表示データを送信する。
【００３０】
次に、ステップＳ３４０にて、表示器に表示データを正常に送信できたか否かを判定し、正常に送信できなかったと判定した場合はステップＳ３５０に進み、正常に送信できたと判定した場合はステップＳ３７０に進む。ここで、正常に送信できたか否かの判定は、周知のように、表示器から送られる応答信号の有無で行う。
【００３１】
ステップＳ３５０では、Ｆ階床Ｋ号機に対応する表示器に正常に送信できなかった回数が連続してｎ回以上となった場合はステップＳ３６０に進み、連続してｎ回未満の場合はステップＳ３７０に進む。ステップＳ３６０では、Ｆ階床Ｋ号機の表示器が故障していると判断し、Ｆ階床Ｋ号機の表示データを隣接する号機の表示データと合成して隣接号機の表示器に入力し、ステップＳ３７０に進む。
【００３２】
次に、ステップＳ３７０では、変数Ｋが乗りかごの設置台数よりも大きくなったか否かを判定し、大きくなったと判定した場合はステップＳ３８０に進み、大きくなっていないと判定した場合はステップＳ３１０に戻る。
【００３３】
そして、ステップＳ３８０にて、変数Ｆが表示器を設置する最上階の階数よりも大きくなったか否かを判定し、大きくなったと判定した場合は処理を終了し、大きくなっていないと判定した場合はステップＳ３１０に戻る。
【００３４】
本実施形態では、エレベータ制御装置１において群管理制御装置２から各表示器へ送信する情報を表示データへ変換するためのプロトコル変換ソフトを備えており、この表示データを適宜切り替えることにより、表示器に表示される案内表示の内容を自在に切り替えている。そのため、同一階床に設置される複数の表示器のうち、特定の表示器が故障したときは、その故障を検知して隣接する表示器へ新たな表示データ、つまり２台の乗りかごの運行状況を表示する表示データに切り替えて送信することにより、運行状況が表示されないという事態を回避することができ、乗り場の待ち客の安全を確保することができる。加えて、ハード的には標準のシステム構成を用いることができるため、設備コストを低く抑えることができる。
【００３５】
また、本実施形態では、表示器に異常が生じたときだけ他の表示器にその案内表示を同時、あるいは、時間差を設けて交互に表示させるようにしているため、表示器が正常のときは高い視認性を保持することができる。
【図面の簡単な説明】
【００３６】
【図１】本発明が適用されるエレベータ装置の一実施形態の全体構成図である。
【図２】本発明が適用されるエレベータ装置において表示器が故障した場合の表示方法を説明する図である。
【図３】エレベータ制御装置から各表示器へ送信する表示データの作成処理を説明するフローチャートである。
【符号の説明】
【００３７】
１  エレベータ制御装置
２  群管理制御装置
２１  割当部
２２  表示部
３１〜３３  号機制御装置
４１〜４３  乗りかご
５１〜５３  かご呼び釦
８１，８２  ホール呼び釦
９１〜９３  ホールランタン（予約灯）
１０１〜１０３，１１１〜１１３  乗り場設置表示器
【図１】
2007217081.tif 000003
【図２】
2007217081.tif 000004
【図３】
2007217081.tif 000005